(57)【特許請求の範囲】
【請求項１】
円筒状のリテーナと、リテーナの内部で任意の方向に回転可能に支持された円環状の吹出口リングと、吹出口リングの内部で傾動可能に支持された開閉用のフィン体と、指で回転操作する操作体と、操作体の回転をフィン体の傾動に変換する機構とを含む丸型空調用レジスタにおいて、
フィン体は、周方向の中間で互いに離れた主フィンと副フィンとを備え、これら主フィン及び副フィンの表裏面がそれぞれ空調用空気の流れを案内するものであり、
操作体は、吹出口リングの中心軸線上に位置する枝連結部と、枝連結部から前記中心軸線回りに等角度間隔をおいて放射状に延びた３本の枝部とにより構成され、枝連結部における枝部相互間の各股面部の前端が正面視で半径１０〜３０ｍｍのアールをなし、各股面部の前端がリテーナの前端よりも前方へ８〜１５ｍｍ突出していることを特徴とする丸型空調用レジスタ。
【請求項２】
各股面部の前後長さが８〜２０ｍｍであり、各股面部に後ろ広がりのテーパ−が付けられた請求項１記載の丸型空調用レジスタ。
【請求項３】
各股面部の後端が、正面視で各股面部の前端のアール半径の１．３〜３倍のアールをなす請求項２記載の丸型空調用レジスタ。
【請求項４】
操作体は、吹出口リング及びフィン体と共に吹出口リングの中心軸線回りに回転する請求項１、２又は３記載の丸型空調用レジスタ。
【請求項５】
フィン体は、吹出口リングの内部を中心軸線回りに等分割した３つの扇形の領域に１つずつ収まるよう、３つ設けられた請求項４記載の丸型空調用レジスタ。
【請求項６】
各枝部は、各フィン体の中央部の真ん前に位置する請求項５記載の丸型空調用レジスタ。
【請求項７】
各枝部は、フィン体の各相互間の真ん前に位置する請求項５記載の丸型空調用レジスタ。
【発明の詳細な説明】
【技術分野】
【０００１】
本発明は、乗物（自動車、電車、飛行機、船等）や建物等に設けられる空調装置の空気吹出口である丸型空調用レジスタに関するものである。なお、丸型空調用レジスタにおける空調用空気の流れ方向の上流側を「後」、下流側を「前」という。
【背景技術】
【０００２】
丸型空調用レジスタには、円筒状のリテーナと、リテーナの内部で傾動可能に支持された開閉用のフィンと、指で回転操作する操作体と、操作体の回転をフィンの傾動に変換する機構とを含んで構成されたものがある（特許文献１）。
【０００３】
その操作体の多くは、レジスタの中心部からリテーナの前端よりも前方へ突出するように設けられた丸形ノブである（特許文献１）。この丸形ノブは、二本指でつまみながら回転操作するので、つまみにくく、回転操作しにくい。さらに、つまむ力の向き（半径方向）と回転操作方向とが違うため、回転操作時に指の負荷が大きい。また、この指の負荷を小さくするために円柱状ノブを大きくすると、圧力損失・騒音悪化の要因となる。
【０００４】
先に、本出願人は、操作体を、空気通路の軸線方向に延びる薄板により略三角枠状に構成し、内部に空気の流通が可能な空間を設けたものを提案した（特許文献２）。この略三角枠状の操作体は、三本指でつまむので、丸形ノブよりもつまみやすく、回転操作しやすい。また、回転操作時につまむ力はあまり要らず、主に回転操作方向に力をかければよいので、丸形ノブよりも指の負荷が小さい。しかしながら、この略三角枠状の操作体は、三角枠の各面がやや凹んでいるものの平面に近いために、指とのフィット感が不十分であり、また、リテーナの前端までにほぼ収まっているために、指をフィットさせにくかった。そのため、この略三角枠状の操作体のつまみやすさと回転操作しやすさには、改善の余地があった。
【先行技術文献】
【特許文献】
【０００５】
【特許文献１】実開平６−５３２２０号公報
【特許文献２】特開２０１４−１８４９４７号公報
【発明の概要】
【発明が解決しようとする課題】
【０００６】
そこで、本発明の目的は、丸型空調用レジスタの操作体を、つまむ時にはつまみやすくし、安定性とフィット感を高め、回転操作時には小さい負荷で回転操作しやすくすることにある。
【課題を解決するための手段】
【０００７】
本発明は、円筒状のリテーナと、リテーナの内部で任意の方向に回転可能に支持された円環状の吹出口リングと、吹出口リングの内部で傾動可能に支持された開閉用のフィン体と、指で回転操作する操作体と、操作体の回転をフィン体の傾動に変換する機構とを含む丸型空調用レジスタにおいて、
フィン体は、周方向の中間で互いに離れた主フィンと副フィンとを備え、これら主フィン及び副フィンの表裏面がそれぞれ空調用空気の流れを案内するものであり、
操作体は、吹出口リングの中心軸線上に位置する枝連結部と、枝連結部から前記中心軸線回りに等角度間隔をおいて放射状に延びた３本の枝部とにより構成され、枝連結部における枝部相互間の各股面部の前端が正面視で半径１０〜３０ｍｍのアールをなし、各股面部の前端がリテーナの前端よりも前方へ８〜１５ｍｍ突出していることを特徴とする。
【０００８】
本発明の作用について説明する。
・操作体は、枝連結部と３本の枝部で構成されているので、図５（ａ）に示すように、水道蛇口のように、三本指でつまみやすく（矢印は力の方向）、つまんだ際の安定性が高く、回転操作しやすい。また、図５（ｂ）に示すように、回転操作時につまむ力はあまり要らず、主に回転操作方向に力をかければよいので、丸形ノブよりも指の負荷が小さい。
・また、操作体は、枝部相互間の各股面部が前端で半径１０〜３０ｍｍ（より好ましくは１５〜２５ｍｍ）のアールをなしていることにより、指とのフィット感が向上するため、さらにつまみやすい。このアール範囲は、図６（ａ）に示すように、１０人について調べた人差指の腹部のアールの範囲１６〜２４ｍｍを含んでそれよりやや広い範囲であり、もってフィット感に優れている。このアールが１０ｍｍ未満では、指が股面部に食い込むような感じとなる。このアールが３０ｍｍを超えると、指が股面部を滑り動いて落ち着かない感じとなる。
・また、操作体は、各股面部の前端がリテーナの前端よりも前方へ８〜１５ｍｍ（より好ましくは１１〜１５ｍｍ）突出していることにより、指の腹がかかりやすいため、さらにつまみやすい。この突出量（出代量）の範囲は、図６（ｂ）に示すように、１０人について調べた人差指の先から腹部までの距離の範囲１１〜１２．５ｍｍを含んでそれより広い範囲であり、もって指の腹がかかりやすい。また、この程度の突出であれば、操作体に不意に人や物が当たることも少ない。この突出量が８ｍｍ未満では、指の腹がかかりにくい。この突出量が１５ｍｍを超えると、指の腹のかかりやすさは変わらないのに、操作体に不意に人や物が当たることが増える。
【０００９】
ここで、各股面部の前後長さが８〜２０ｍｍであり、各股面部に後ろ広がりのテーパ−が付けられていることが好ましい。操作体は、このテーパーにより三本指とのフィット感が向上するため、さらにつまみやすいからである。
【００１０】
さらに、上記テーパーを付ける場合、各股面部の後端が、正面視で各股面部の前端のアール半径の１．３〜３倍のアールをなすことが好ましい。三本指とのフィット感と連結部の小型化（通風抵抗が小さく、圧力損失・騒音が低減される）を両立させるためである。この倍率が１．３倍未満では、テーパーの程度が小さく、三本指とのフィット感がさほど向上しない。この倍率が３倍を超えると、テーパーの程度が大きく、連結部が大型化（通風抵抗が増加し、圧力損失・騒音が増加）する。
【発明の効果】
【００１１】
本発明の丸型空調用レジスタによれば、操作体を、つまむ時にはつまみやすく、安定性とフィット感に優れ、回転操作時には小さい負荷で回転操作しやすいという優れた効果を奏する。
【図面の簡単な説明】
【００１２】
【図１】実施例の丸型空調用レジスタの、（ａ）は斜視図、（ｂ）は正面図である。
【図２】同丸型空調用レジスタの（ａ）は左側面図、（ｂ）は図１のＩＩｂ−ＩＩｂ断面図である。
【図３】同丸型空調用レジスタの分解斜視図である。
【図４】同丸型空調用レジスタの（ａ）シャットモード時、（ｂ）拡散送風モード時、（ｃ）全開モード時、（ｄ）スポット送風モード時における正面図である。
【図５】同丸型空調用レジスタの操作体を指で（ａ）つまむ時、（ｂ）回転操作する時の力の掛かり型を説明する図である。
【図６】同操作体の股面部の前端の（ａ）アールとフィット感の関係、（ｂ）出代量とフィット感の関係を示すグラフである。
【発明を実施するための形態】
【００１３】
後述する実施例における符号を付して説明する。
丸型空調用レジスタ１は、前記円筒状のリテーナ２と、リテーナ２の中心部に位置するボールジョイント９，１６によりリテーナ２の内部で任意の方向に回転可能に支持された円環状の吹出口リング３と、吹出口リング３の内部で傾動可能に支持された開閉用のフィン体４と、指で回転操作する操作体３０と、操作体３０の回転をフィン体４の傾動に変換する機構とを含む。において、操作体３０は、吹出口リング３の中心軸線上に位置する枝連結部３１と、枝連結部３１から吹出口リング３の中心軸線回りに等角度間隔をおいて放射状に延びた３本の枝部３２とにより構成され、枝連結部３１における枝部３２相互間の各股面部３３の前端３３Ａが正面視で半径１０〜３０ｍｍのアールをなし、各股面部３３の前端３３Ａがリテーナ２の前端よりも前方へ８〜１５ｍｍ突出している。各股面部３３の前後長さが８〜２０ｍｍであり、各股面部３３に後ろ広がりのテーパ−が付けられ、各股面部３３の後端３３Ｂが正面視で各股面部３３の前端３３Ａのアール半径の１．３〜３倍のアールをなすことが好ましい。
【００１４】
操作体３０は、吹出口リング３及びフィン体４と共に吹出口リング３の中心軸線回りに回転する態様と、吹出口リング３及びフィン体４とは無関係に吹出口リング３の中心軸線回りに回転する態様とを例示できる。
【００１５】
前者の態様は、操作体３０と吹出口リング３とが、嵌着、接着、一体形成等により、固定されることにより実現できる。
【００１６】
前者の態様においては、フィン体４は、吹出口リング３の内部を中心軸線回りに等分割した３つの扇形の領域に１つずつ収まるよう、３つ設けられた態様を例示できる。さらに、この態様においては、次の二つの態様を例示できる。
（１）各枝部３２は、各フィン体４の中央部の真ん前に位置する態様。この態様によれば、異物がレジスタにその手前から挿入されて各フィン体４に当たることを、各枝部３２が阻止する。
（２）各枝部３２は、フィン体４の各相互間の真ん前に位置する態様。この態様によれば、通気抵抗が低減される。
【実施例１】
【００１７】
図１〜図６に示す実施例の丸型空調用レジスタ１は、被取付部Ｄ（例えば車両のインストルメントパネル）に取り付けられる円筒状のリテーナ２と、リテーナ２の内部でボールジョイントにより任意の方向に回転可能に支持された円環状の吹出口リング３と、吹出口リング３の内部で傾動可能に支持された３つのフィン体４とを備える。
【００１８】
［リテーナ２］
リテーナ２は、リテーナ後部６とリテーナ前部５とにより構成されている。リテーナ後部６は内球面形状の内面を有し、その内面にはリテーナ２の中心軸線方向に延びる係合溝７が形成されている。また、リテーナ後部６には支持柱８がリテーナ２の中心軸線上に前方へ突出され、支持柱８の先端にはボールスタッド９が設けられている。リテーナ前部５はリング形状に形成され、リテーナ前部５の外周においてリテーナ２は被取付部Ｄに固定される。
【００１９】
［吹出口リング３］
吹出口リング３は、リング基部１０とリング前部１１とベゼル部１２とにより構成されている。リング前部１１及びベゼル部１２は、リング基部１０に対して、吹出口リング３の中心軸線回りに相対回動可能に連結されている。吹出口リング３は、全体として外球面形状の外面を有し、その外面がリテーナ後部６の内球面形状の内面に摺接した状態で、リテーナ２の内部に配置されている。
【００２０】
リング基部１０の外面には、前記係合溝７に係合される突起１８が設けられている。また、リング基部１０の内球面状の内面には、周方向に等間隔をおいて３対のガイド溝対１９が形成されている。各ガイド溝対１９は、平行をなしてリング基部１０の内面を螺旋状に延びる２本の溝からなっている。
【００２１】
リング前部１１は、円環状の輪部１３と、輪部１３の中心部に位置する連結部１４と、連結部１４から輪部１３に向かって放射状に延びて輪部１３に接続された等角度間隔をおく３本のスポーク１５とを有している。連結部１４には前記ボールスタッド９と係合するソケット１６が形成されており、両者でボールジョイントを構成している。スポーク１５における輪部１３と付近の両側には、軸突起１７が突出されている。
【００２２】
ベゼル部１２は、同心の円環状の外輪部２４及び内輪部２５を有し、さらに操作体３０が一体的に設けられている。
操作体３０は、吹出口リング３の中心軸線上に位置する枝連結部３１と、枝連結部３１から前記中心軸線回りに等角度間隔をおいて放射状に延びた３本の枝部３２とにより構成されている。３本の枝部３２は、外輪部２４及び内輪部２５に接続されている。ベゼル部１２はリング前部１１に嵌着又は接着により固定されており、３本の枝部３２は３本のスポーク１５に対し吹出口リング３の中心軸線回りに６０度ずれている。すなわち、スポーク１５の各相互間中央部の手前に枝部３２が配置されている。
【００２３】
枝連結部３１における枝部相互間の各股面部３３の前後長さは１５ｍｍであり、各股面部３３の前端３３Ａはリテーナ２の前端よりも前方へ１３ｍｍ突出（出代量）している。各股面部３３の前端３３Ａには正面視で半径２０ｍｍのアールが付けられている。各股面部３３には後ろ広がりのテーパ−が付けられ、各股面部３３の後端３３Ｂには正面視で半径４０ｍｍ（前端のアール半径の２倍）のアール半径が付けられている。
【００２４】
上記のように構成された吹出口リング３は、操作体３０を指でつまんで、リテーナ２の内部でボールスタッド９を中心として吹出口リング３の中心軸線の向きが変わる方向に回転（揺動）可能であり、この揺動により空調用空気の吹出し方向が変更されるようになっている。
また、ボールスタッド９を中心とした吹出口リング３の中心軸線回りの回転については、操作体３０を指で回転操作すると、ベゼル部１２とリング前部１１とが共に回動し、リング基部１０の回動は係合溝７への突起１８の係合によって規制される。
【００２５】
［フィン体４］
３つのフィン体４は、吹出口リング３の内部を中心軸線回りに等分割した３つの扇形の領域に１つずつ収まるよう設けられている。すなわち、フィン体４は、隣接したスポーク１５間の扇形の空間に対応して配され、隣接したスポーク１５の２つの軸突起１７がフィン体４に形成された２つの係合穴２０に挿入することにより、リング前部１１に回動可能に軸支されている。各フィン体４の回動軸は、前記各領域の扇形の弦に平行である。
【００２６】
よって、吹出口リング３の中心軸線回りに見た、各フィン体４の中央部の真ん前に、ベゼル部１２の各枝部３２が位置する。
【００２７】
各フィン体４には、前記ガイド溝対１９に係合される２つの球状の突起部からなる突起対２１が設けられている。そして、リング前部１１とリング基部１０との相対回動に応じて、これらの突起対２１が螺旋状のガイド溝対１９に沿って吹出口リング３の中心軸線方向（前後方向）に案内されることで、フィン体４が傾動（回動）されるようになっている。すなわち、ガイド溝対１９と突起対２１が、操作体３０の回転をフィン体４の傾動に変換する機構である。
【００２８】
なお、３つのフィン体４はそれぞれ、２つの係合穴２０付近で連結されて２つの係合穴２０の中間で互いに離れる主フィン２２と副フィン２３とを備えている。これら主フィン２２及び副フィン２３の表裏面がそれぞれ空調用空気の流れを案内する。
【００２９】
以上のように構成された丸型空調用レジスタ１の作用・効果を説明する。
操作体３０を三本指でつまんで、吹出口リング３の中心軸線回りに回転させる。すると、ベゼル部１２、リング前部１１及びフィン体４が共に回転し、前記のとおりフィン体４の突起対２１の螺旋状のガイド溝対１９に沿って前後方向に案内される。これにより、次のように、フィン体４の吹出口リング３の中心軸線に対する傾斜角が変わって、送風モードが変更される。
・図４（ａ）に示すように、フィン体４の傾斜角が最大となって、吹出口リング３の内部を閉鎖する、シャットモード
・図４（ｂ）に示すように、フィン体４の傾斜角が吹出口リング３の中心軸線に対して前広がりとなる、拡散送風モード
・図４（ｃ）に示すように、フィン体４の傾斜角が吹出口リング３の中心軸線と平行になる、全開モード
・図４（ｄ）に示すように、フィン体４の傾斜角が吹出口リング３の中心軸線に対して前すぼみとなる、スポット送風モード。
【００３０】
このとき、操作体３０は、次の効果を発揮する。
・操作体３０は、枝連結部３１と３本の枝部３２で構成されているので、図５（ａ）に示すように、水道蛇口のように、三本指でつまみやすく（矢印は力の方向）、つまんだ際の安定性が高く、回転操作しやすい。また、図５（ｂ）に示すように、回転操作時につまむ力はあまり要らず、主に回転操作方向に力をかければよいので、丸形ノブよりも指の負荷が小さい。
・また、操作体３０は、枝部３２相互間の各股面部３３が前端３３Ａで半径２０ｍｍのアールをなしていることにより、指とのフィット感が向上するため、さらにつまみやすい（前出した図６（ａ）参照）。
・また、操作体３０は、各股面部３３の前端３３Ａがリテーナの前端よりも前方へ１３ｍｍ突出（出代量）していることにより、指の腹がかかりやすいため、さらにつまみやすい（前出した図６（ｂ）参照）。また、この程度の突出であれば、操作体３０に不意に人や物が当たることも少ない。
・さらに、操作体３０は、各股面部３３の前後長さが１５ｍｍであり、各股面部３３に後ろ広がりのテーパ−が付けられ、各股面部３３の後端３３Ｂが正面視で各股面部３３の前端３３Ａのアール半径の２倍のアールをなしていることにより、三本指とのフィット感が向上し、つまみやすさと操作体３０の小型化（通風抵抗が小さく、圧力損失・騒音が低減される）を両立させることができる。
【００３１】
また、前述のとおり、操作体３０を指でつまんで、リテーナ２の内部でボールスタッド９を中心として吹出口リング３の中心軸線の向きが変わる方向に回転（揺動）させると、この揺動により空調用空気の吹出し方向が変更される。この際にも、操作体３０による上記効果が発揮される。
【００３２】
また、前述のとおり、各フィン体４の中央部の真ん前に、ベゼル部１２の各枝部３２が位置するので、異物がレジスタにその手前から挿入されて各フィン体４に当たることを、各枝部３２が阻止する。
【００３３】
なお、本発明は前記実施例に限定されるものではなく、例えば［発明を実施するための形態］において例示したように、発明の趣旨から逸脱しない範囲で適宜変更して具体化することができる。
【符号の説明】
【００３４】
１    丸型空調用レジスタ
２    リテーナ
３    吹出口リング
４    フィン体
５    リテーナ前部
６    リテーナ後部
７    係合溝
８    支持柱
９    ボールスタッド
１０    リング基部
１１    リング前部
１２    ベゼル部
１３    輪部
１４    連結部
１５    スポーク
１６    ソケット
１７    軸突起
１８    突起
１９    ガイド溝対
２０    係合穴
２１    突起対
２２    主フィン
２３    副フィン
２４    外輪部
２５    内輪部
３０    操作体
３１    枝連結部
３２    枝部
３３    股面部
３３Ａ  前端
３３Ｂ  後端
Ｄ    被取付部
【図１】
0006436013.tif 000002
【図２】
0006436013.tif 000003
【図３】
0006436013.tif 000004
【図４】
0006436013.tif 000005
【図５】
0006436013.tif 000006
【図６】
0006436013.tif 000007